(57)【要約】本考案は中央に設置され、枠にねじ線が形成されたフィクスチャー溝が備えられたフィクスチャーに連結できるように、前記フィクスチャー溝に下部が挿入される回転誘導体、前記回転誘導体の上部に位置し、内部に貫通孔が備えられた回転誘導体角度制限蓋、前記ボールジョイント角度制限蓋、回転誘導体の内側中間傾斜部の内側にボールジョイントの下部が安置されるボールジョイントから構成された角度調節及び位置調節自在な入れ歯固定用アタッチメントに関するものである。
2015515303.tif 000002
【特許請求の範囲】
【請求項１】
補綴用角度調節及び位置調節自在な入れ歯固定用アタッチメントであって、
中央に設置され、フィクスチャー溝が備えられたフィクスチャーに連結できるように前記フィクスチャーのフィクスチャー溝に下部が挿入される回転誘導体と、前記回転誘導体の上部に位置し、内部に垂直に貫通した貫通孔が備えられたボールジョイント角度制限蓋と、前記ボールジョイント角度制限蓋の回転誘導体内側中間傾斜部内側にボールジョイント下部が安置されるボールジョイントを含んで構成されていることを特徴とする、角度調節及び位置調節自在な入れ歯固定用アタッチメント。
【請求項２】
前記回転誘導体２はフィクスチャー溝１１に挿入されるように下部に延びて、外部にねじ線が備えられた回転誘導体下部２５と、
前記回転誘導体下部２５の上部に位置した回転誘導体側面（図示せず）と、上部に半月型に溝が備えられた回転誘導体上部溝２１と、
を含んで構成されていることを特徴とする、請求項１に記載の角度調節及び位置調節自在な入れ歯固定用アタッチメント。
【請求項３】
前記回転誘導体２−１はフィクスチャー溝１１に挿入されるように下部に延びて、外部にねじ線が備えられた回転誘導体下部２５と、
前記回転誘導体下部２５の上部に位置した回転誘導体側面（図示せず）と、上部に半月型に突起した回転誘導体上部突部２１−１と、
を含んで構成されていることを特徴とする、請求項１に記載の角度調節及び位置調節自在な入れ歯固定用アタッチメント。
【請求項４】
前記回転誘導体２−２はフィクスチャー溝１１に挿入されるように下部に延びている回転誘導体下部２５−１と、
前記回転誘導体下部２５の上部に位置した回転誘導体側面（図示せず）と、上部に半月型に突起した回転誘導体上部突部２１−１と、
を含んで構成されていることを特徴とする、請求項１に記載の角度調節及び位置調節自在な入れ歯固定用アタッチメント。
【請求項５】
前記回転誘導体２−３はフィクスチャー溝１１に挿入されるように下部に延びている回転誘導体下部２５−１と、
前記回転誘導体下部２５の上部に位置した回転誘導体側面（図示せず）と、上部に半月型に溝が備えられた回転誘導体上部溝２１と、
を含んで構成されていることを特徴とする、請求項１に記載の角度調節及び位置調節自在な入れ歯固定用アタッチメント。
【請求項６】
前記ボールジョイント角度制限蓋３は内部に空間部が備えられ、上部に貫通孔が備えられ、回転誘導体２の上部外側に設置された回転誘導体側面（図示せず）に結合し、ボール形状のボールジョイント下部５１が安置されるボールジョイント角度制限蓋内側（図示せず）と、側面外部に設置されたボールジョイント角度制限蓋側面３５を含んで構成されていることを特徴とする、請求項１に記載の角度調節及び位置調節自在な入れ歯固定用アタッチメント。
【請求項７】
前記ボールジョイント５は亜鈴形状であって、ボール形状のボールジョイント下部５１と、前記ボールジョイント下部５１の上部に設置され、ボールジョイント下部５１より直径が少ない円柱形状のボールジョイント中間部５２と、前記ボールジョイント中間部５２の上部に設置され、ボールジョイント中間部５２より直径が大きく、ボールジョイント下部５１よりは直径が小さいボール形状のボールジョイントメント上部５３とを含んで構成されていることを特徴とする、請求項１に記載の角度調節及び位置調節自在な入れ歯固定用アタッチメント。
【請求項８】
前記ボールジョイント５−１は亜鈴形状であって、下部が両側に矢形態に形成された
2015515303.tif 000004
形状にボールジョイント下部５１−１、前記ボールジョイント下部５１−１の上部に設置され、ボールジョイント下部５１−１より直径が少ない円柱形状のボールジョイント中間部５２と、前記ボールジョイント中間部５２の上部に設置され、ボールジョイント中間部５２より直径が大きく、ボールジョイント下部５１−１よりは直径が小さいボール形状のボールジョイントメント上部５３とを含んで構成されていることを特徴とする、請求項１に記載の角度調節及び位置調節自在な入れ歯固定用アタッチメント。
【請求項９】
前記ボールジョイント５−２は亜鈴形状であって、下部は両側の下方に傾斜した形態のボールジョイント下部５１−２と、前記ボールジョイント下部５１−２の上部に設置され、ボールジョイント下部５１−２より直径が少ない円柱形状のボールジョイント中間部５２と、前記ボールジョイント中間部５２の上部に設置され、ボールジョイント中間部５２より直径が大きく、ボールジョイント下部５１−２よりは直径が小さいボール形状のボールジョイントメント上部５３とを含んで構成されていることを特徴とする、請求項１に記載の角度調節及び位置調節自在な入れ歯固定用アタッチメント。
【発明の詳細な説明】
【技術分野】
【０００１】
本考案は、歯科のインプラント施術後、入れ歯固定に使われる角度調節及び位置調節自在な入れ歯固定用アタッチメントに関するものである。
【背景技術】
【０００２】
歯牙が抜けた場合、既存には入れ歯を嵌めるか、または周辺の歯牙を柱にして抜けた部分を金属などで被せるブリッジ施術を遂行した。しかしながら、このような施術過程は入れ歯やブリッジ施術された人工歯牙が食物を噛む力が弱くて、周辺の歯牙に悪影響を及ぼすなどのさまざまな問題点があった。
【０００３】
ここに、発展した歯科医療の一施術としてインプラント施術が登場するようになった。このようなインプラント施術は歯槽骨に人工的な歯牙根を形成し、これを用いて実際の歯牙と似ているように製作された人工歯牙を結合して、患者が実際の歯牙を使用する効果を得るようになる。
【０００４】
前記インプラント施術過程は、歯牙が抜けた歯槽骨にフィクスチャー（fixture）を埋植するためにドリルなどの工具を用いて埋植溝を形成し、埋植溝の内部にフィクスチャーが堅く埋植されるための選択作業としてタッピングを遂行する。以後、前記フィクスチャーを埋植溝内に埋植した後、フィクスチャーへの異質物の侵入を防止するためにカバースクリューを締結し、歯茎を覆って縫合して１次手術を完了する。
【０００５】
以後、２次手術として、略３〜６ケ月が経過した後、縫合された歯茎をまた切開した後、フィクスチャーからカバースクリューを除去するようになり、締結されるアバットメントの種類を考慮した後、ヒーリングアバットメントを選択して締結し、その横の歯茎が割れないように縫合する。
【０００６】
この時のヒーリングアバットメントは、フィクスチャーにアバットメントを締結する前にフィクスチャーの上に歯茎がきれいに形成されるようにするものであり、締結後、略２〜３週後にこれをまた除去した後、アバットメント（abutment）を結合し、これに人工歯の型を取ってアバットメントの上側に人工歯を結合してインプラント施術が完了する。
【０００７】
以上のように、前記フィクスチャーを植えて、その外側を歯茎で完全に覆って縫合した後、２次施術をする方式をインプラント施術のサブマージドタイプ（submerged type）という。
【０００８】
前記のようなサブマージドタイプのインプラント施術過程で歯槽骨に埋植されたフィクスチャーは歯牙の根機能を遂行するようになり、前記アバットメントは人工歯牙とフィクスチャーとを一体化する連結構成となる。
【０００９】
特に、前記フィクスチャーとアバットメントは、人工歯牙を定位置に堅く固定させるためのインプラント構造物となり、このようなインプラント構造物は主に物理的／化学的剛性に優れるチタニウムなどの金属材質で製作される。
【００１０】
一般的に、インプラントは元の人体組織が喪失された時に回復させる代置物を意味するが、歯科では人工で作った歯牙を移植することをいう。喪失された歯根（根）に代えることができるように人体に拒否反応のないチタニウム（titanium）などで作った歯根を歯が抜けた歯槽骨に植えた後、人工歯牙を固定させて歯牙の機能を回復するようにする施術である。
【００１１】
一般補綴物や入れ歯の場合、時間が経るにつれて周囲の歯牙と骨が傷つくが、インプラントは周辺の歯牙組織を傷つかないようにし、自然歯牙と機能や形態が同一で、かつムシ歯が生じないので、半永久的に使用することができる長所がある。
【００１２】
国内登録特許公報登録番号第１００９２５７６６００００（２００９１１０２）号には、金属部材または“アバットメント”は歯科インプラントに収容されてミーリングされるか、または手術準備（prepping）されることによって、歯科補綴装置を収容することができる形態となる。金属部材の軸底部から軸方向に上向きに凹部が延びており、この凹部は歯科インプラントのオー−ボール（O-ball）またはオー−リング収容接合部（O-ring receiver abutment）上に合わせ結合される形態を有し、結合突起を含むアバットメントを提供し、フィクスチャーの上部に形成された結合溝に結合突起を再位置させ、スクリューを用いてアバットメントをフィクスチャーに結束した後、スクリューホールを含む補綴物を提供し、アバットメント及び補綴物の間に歯科用セメントを介して補綴物及びアバットメントを合着する補綴マウンティング装置及びアセンブリが公開されており、同公報登録番号第１０１０４２３７２００００（２０１１０６１０）号には、下側は一軸を中心に回転しながら歯骨に埋め込みできるねじ山が外部面に設けられるねじ部と、上側は前記ねじ部に一体形成され、かつ前記歯骨を覆う歯茎に埋め込まれることができ、キャップが被せられるアバットメントを含む一体型インプラントにおいて、前記アバットメントは歯茎と接触する齒齦レベル部と、その齒齦レベル部の上側に設けられ、前記キャップが着脱可能に付着できる突起部からなり、前記突起部にはその上段面から一軸方向に沿って下側に延びている結合溝に形成され、前記結合溝は前記インプラントを回転させるためのドライバーと噛み合うことができる端面形状を有する一体型インプラントが記載されており、国内公開特許公報公開番号第１０−２００７−０１１２０７５号には、歯槽骨が植立されたフィクスチャーに固定され、歯科補綴物を維持するためのアバットメントとして、前記フィクスチャーに固定される下部部材と、前記歯科補綴物に固定される上部部材と、前記上部部材と下部部材とを互いに分離可能に結合させる脱着構造を含む歯科インプラントの分離型アバットメントが公開されていることが分かる。
【先行技術文献】
【特許文献】
【００１３】
【特許文献１】国内登録特許公報登録番号第１００９２５７６６００００（２００９１１０２）号
【特許文献２】国内登録特許公報登録番号第１０１０４２３７２００００（２０１１０６１０）
【特許文献３】国内公開特許公報公開番号第１０−２００７−０１１２０７５号
【発明の概要】
【発明が解決しようとする課題】
【００１４】
前記のような従来の入れ歯固定用アバットメント技術は、患者に植立された多数個のフィクスチャーが互いに平行に植立されなかった場合、入れ歯固定用アバットメントと入れ歯を締結できなくて、フィクスチャーを互いに平行に植立するように再手術するか、または別途の部品を使用して連結しなければならない不便性が本考案が解決しようとする課題である。
【課題を解決するための手段】
【００１５】
前記のような問題点を解決するために、本考案はフィクスチャーのフィクスチャー溝１１に挿入される回転誘導体、前記回転誘導体の上部に位置する回転誘導体角度制限蓋、前記回転誘導体と前記回転誘導体角度制限蓋との間に位置するボールジョイントから構成された角度調節及び位置調節自在な入れ歯固定用アタッチメントを提供することが本考案が達成しようとする課題解決手段である。
【発明の効果】
【００１６】
本考案は、傾斜して植立されたフィクスチャーと入れ歯とを連結する時、別途の部品を使用しなくても入れ歯とフィクスチャーとを連結することができ、施術時、フィクスチャーの傾斜度があってもボールジョイントに傾斜角度を補償してくれるように位置させて施術することによって、患者や医師に安らかで、かつやさしいインプラント施術ができるようにし、外科的に骨移植のような付加的な手術を必要としない歯科インプラント施術をすることができ、角度調節に従う問題点を解決し、部品の単純な結合方法によりインプラント施術の経済化または施術時間を短縮させて患者の苦痛と経済的な負担を減少させると共に、施術者（医師）の施術時間を短縮させ、使用時に咀嚼圧を直接フィクスチャーに伝達しないので、フィクスチャーの寿命を増やすことができる構造的な長所がある。
【図面の簡単な説明】
【００１７】
【図１】本考案の角度調節及び位置調節自在な入れ歯固定用アタッチメントの全体図である。
【図２】本考案の角度調節及び位置調節自在な入れ歯固定用アタッチメントの分解詳細図である。
【図３】本考案の角度調節及び位置調節自在な入れ歯固定用アタッチメントの他の例である。
【図４】本考案の回転誘導体の他の例である。
【図５】本考案の回転誘導体角度制限蓋の他の例である。
【図６】本考案の角度調節及び位置調節自在な入れ歯固定用アタッチメントの施術状態図である。
【図７】従来の入れ歯固定用アタッチメントの施術状態図である。
【発明を実施するための形態】
【００１８】
前記のような目的を達成するために、本考案は中央に設置されるフィクスチャー溝１１が備えられたフィクスチャー１に連結できるように、前記フィクスチャー１のフィクスチャー溝１１に下部が挿入される回転誘導体２、前記回転誘導体２の上部に位置し、内部に貫通孔が備えられたボールジョイント角度制限蓋３、前記ボールジョイント角度制限蓋３の回転誘導体内側３２にボールジョイント下部５１が安置されるボールジョイント５から構成された角度調節及び位置調節自在な入れ歯固定用アタッチメントに関するものである。
【００１９】
本考案の回転誘導体２は、図１から図３に示すように、上部にボールジョイント角度制限蓋３と結合し、かつ回転誘導体２とボールジョイント角度制限蓋３との間にボールジョイント５の下部が内蔵され、ボールジョイント角度制限蓋３の中央貫通孔を通過して上部にボールジョイント５の中間部と上部が突出するようにし、前記回転誘導体２の上部に半月型に溝が備えられた回転誘導体上部溝２１に起き上がりこぼし形状のボールジョイント５のボール形状であるボールジョイント下部５１を位置させ、図２のように、中央に上下に貫通されたボールジョイント角度制限蓋３の中央貫通孔の下部から上部にボールジョイント５のボール形状のボールジョイント上部５３とボールジョイント中間部５２を挿入させて、ボールジョイント角度制限蓋３の上部にボールジョイント５のボール形状のボールジョイント上部５３とボールジョイント中間部５２を突出するようにし、回転誘導体２の外部に設置された回転誘導体側面（図示せず）とボールジョイント角度制限蓋３のボールジョイント角度制限蓋内側（図示せず）とを結合させ、かつ接着剤で結合するか、ねじ式で結合するか、またはレーザーで溶接する方法のうちの１つを選んで結合させることができる。
【００２０】
結合された以後には、図３及び図６のように結合されたボールジョイント５を回転させて所望の角度に固定して、傾斜したフィクスチャー１の角度を補正し、ボール形状のボールジョイントメント上部５３と入れ歯とを結合してインプラント施術をする方法である。
【００２１】
図４は回転誘導体２の他の例を図示したものであって、上部に溝の代わり突起を形成するか、または下部の外部にねじ線をなくした形態を図示したものであり、図５はボールジョイントの他の例を図示したものであって、前記図４の回転誘導体の他の例に対称するようにボールジョイントの下部を改良したものである。
【００２２】
図３は上記のように回転誘導体の他の例とボールジョイントの他の例を図示したものであり、図６は本考案の角度調節及び位置調節自在な入れ歯固定用アタッチメント施術状態図を結合させた状態を示すものである。
【００２３】
以下、本考案を実施形態を通じて詳細に説明すれば、次の通りである。
【００２４】
（実施形態）
歯牙が抜けた歯槽骨にフィクスチャー埋植するためにドリルなどの工具を用いて埋植溝を形成し、埋植溝の内部にフィクスチャーが堅く埋植されるための選択作業としてタッピングを遂行する。以後、前記フィクスチャーを埋植溝内に埋植した後、フィクスチャー溝１１が備えられたフィクスチャー１に、前記フィクスチャー１のフィクスチャー溝１１に回転誘導体２の回転誘導体下部２５を結合した後、前記回転誘導体２の上部に位置した半月型に溝が備えられた回転誘導体上部溝２１に起き上がりこぼし形状のボールジョイント５のボール形状であるボールジョイント下部５１を位置させ、ボールジョイント５のボールジョイント下部５１よりは直径の小さいボール形状のボールジョイント上部５３とボールジョイント中間部５２を上下に貫通したボールジョイント角度制限蓋３で覆いかぶせてボールジョイント角度制限蓋３の上部にボールジョイント５のボール形状のボールジョイント上部５３とボールジョイント中間部５２を突出するようにすると共に、回転誘導体２の上部に位置し、外部にねじ線が備えられた回転誘導体側面（図示せず）とボールジョイント角度制限蓋３のボールジョイント角度制限蓋内側（図示せず）とを接着剤で結合するか、ねじ式で結合するか、またはレーザーで溶接して結合させた後、図３のようにボールジョイント５を回転させて所望の角度に固定して、傾斜したフィクスチャー１の角度を補正し、ボール形状のボールジョイント上部５３と入れ歯とを結合してインプラント施術を行った。
【００２５】
以下、本考案を図面を参考して詳細に説明すれば、次の通りである。
【００２６】
図１は本考案の角度調節及び位置調節自在な入れ歯固定用アタッチメントの全体図、図２は本考案の角度調節及び位置調節自在な入れ歯固定用アタッチメントの分解詳細図、図３は本考案の角度調節及び位置調節自在な入れ歯固定用アタッチメントの他の例、図４は本考案の回転誘導体の他の例、図６は本考案のボールジョイント角度制限蓋の他の例、図７は本考案の角度調節及び位置調節自在な入れ歯固定用アタッチメントの施術状態図、図８は従来の入れ歯固定用アタッチメント施術状態度図を図示したものであり、フィクスチャー１、回転誘導体２、２−１、２−２、２−３、ボールジョイント角度制限蓋３、ボールジョイント５、５−１、５−２、フィクスチャー溝１１、回転誘導体上部溝２１、回転誘導体上部突部２１−１、回転誘導体側面（図示せず）、回転誘導体下部２５、２５−１、ボールジョイント角度制限蓋内側（図示せず）、ボールジョイント角度制限蓋側面３５、ボールジョイント下部５１、５１−１、５１−２、ボールジョイント中間部５２、ボールジョイント上部５３を示すものであることが分かる。
【００２７】
構造を説明すれば、図１及び図２に示すように、本考案の角度調節及び位置調節自在な入れ歯固定用アタッチメントは、中央に設置され、フィクスチャー溝１１が備えられたフィクスチャー１に連結できるように前記フィクスチャー１のフィクスチャー溝１１に下部が挿入される回転誘導体２、２−１、２−２と、前記回転誘導体２、２−１、２−２、２−３の上部に位置し、内部に空間部が備えられ、上部に貫通孔が備えられたボールジョイント角度制限蓋３と、前記ボールジョイント角度制限蓋３の回転誘導体内側３１にボールジョイント下部５１、５１−１、５１−２が安置されるボールジョイント５、５−１、５−２とから構成され、前記回転誘導体２は、図２に示すように、内部に空間部が備えられ、上部に貫通孔が備えられ、フィクスチャー溝１１に挿入されるように下部に延びて、外部にねじ線が備えられた回転誘導体下部２５と、前記回転誘導体下部２５の上部に位置し、外部にねじ線が備えられた回転誘導体側面（図示せず）と、上部に半月型に溝が備えられた回転誘導体上部溝２１と、側面外部に設置されたボールジョイント角度制限蓋側面３５から構成され、前記ボールジョイント角度制限蓋３は回転誘導体２の上部に位置し、回転誘導体２の上部外側部に設置された回転誘導体側面（図示せず）に結合し、ボール形状のボールジョイント下部５１が安置されるボールジョイント角度制限蓋内側（図示せず）から構成され、前記ボールジョイント５は亜鈴形状であって、ボール形状のボールジョイント下部５１と、前記ボールジョイント下部５１の上部に設置され、ボールジョイント下部５１より直径の少ない円柱形状のボールジョイント中間部５２と、前記ボールジョイント中間部５２の上部に設置され、ボールジョイント中間部５２より直径が大きく、ボールジョイント下部５１よりは直径が小さいボール形状のボールジョイントメント上部５３とから構成されていることが分かる。
【００２８】
図４は本考案の回転誘導体２の多様な例を図示したものであって、図４Ａは図２と同一であり、単に、回転誘導体上部溝２１の代わりに回転誘導体上部突部２１−１が備えられた形状であって、より具体的に説明すると、フィクスチャー溝１１に挿入されるように下部に延びて、外部にねじ線が備えられた回転誘導体下部２５と、前記回転誘導体下部２５の上部に位置した回転誘導体側面（図示せず）と、上部に半月型に突起した回転誘導体上部突部２１−１から構成され、図４Ｂは図４Ａと同一であり、単に、外部にねじ線がない回転誘導体下部２５−１が相異し、より具体的に説明すると、フィクスチャー溝１１に挿入されるように下部に延びている回転誘導体下部２５−１と、前記回転誘導体下部２５の上部に位置した回転誘導体側面（図示せず）と、上部に半月型に突起した回転誘導体上部突部２１−１とから構成され、図４Ｃは図２と同一であり、単に、外部にねじ線がない回転誘導体下部２５−１が相異し、より具体的に説明すると、フィクスチャー溝１１に挿入されるように下部に延びている回転誘導体下部２５−１と、前記回転誘導体下部２５の上部に位置した回転誘導体側面（図示せず）と、上部に半月型に溝が備えられた回転誘導体上部溝２１とから構成されていることが分かる。
【００２９】
図５はボールジョイントの他の例を図示したものであって、図５Ａのボールジョイント５−１は亜鈴形状であって、下部が両側に矢形態に形成された
2015515303.tif 000003
形状にボールジョイント下部５１−１、前記ボールジョイント下部５１−１の上部に設置され、ボールジョイント下部５１−１より直径が少ない円柱形状のボールジョイント中間部５２と、前記ボールジョイント中間部５２の上部に設置され、ボールジョイント中間部５２より直径が大きく、ボールジョイント下部５１−１よりは直径が小さいボール形状のボールジョイントメント上部５３から構成されていることが分かる。
【００３０】
図５Ｂのボールジョイント５−２は亜鈴形状であって、下部は両側の下方に傾斜した形態のボールジョイント下部５１−２と、前記ボールジョイント下部５１−２の上部に設置され、ボールジョイント下部５１−２より直径が少ない円柱形状のボールジョイント中間部５２と、前記ボールジョイント中間部５２の上部に設置され、ボールジョイント中間部５２より直径が大きく、ボールジョイント下部５１−２よりは直径が小さいボール形状のボールジョイントメント上部５３とから構成されていることが分かる。
【符号の説明】
【００３１】
１    フィクスチャー
２、２−１、２−２、２−３    回転誘導体
３    ボールジョイント角度制限蓋
５、５−１、５−２    ボールジョイント
１１    フィクスチャー溝
２１    回転誘導体上部溝
２１−１    回転誘導体上部突部
２５、２５−１    回転誘導体下部
３５    回転誘導体角度制限蓋側面
５１、５１−１、５１−２    ボールジョイント下部
５２    ボールジョイント中間部
５３    ボールジョイントメント上部
【図１】
2015515303.tif 000005
【図２】
2015515303.tif 000006
【図３】
2015515303.tif 000007
【図４】
2015515303.tif 000008
【図５】
2015515303.tif 000009
【図６】
2015515303.tif 000010
【図７】
2015515303.tif 000011
【国際調査報告】
2015515303.tif 000012
2015515303.tif 000013
2015515303.tif 000014
2015515303.tif 000015